(57)【特許請求の範囲】
【請求項１】
EPGデータを取得する取得手段と、
前記取得手段により取得されたEPGデータに含まれるそれぞれのコンテンツの情報に含まれるテキストデータから、先頭に下向きの白抜き三角のマークが付加されている文章を抽出する抽出手段と、
放送予定のコンテンツの一覧が表示される画面に、各コンテンツの情報として、タイトルを表示せずに、代表画とともに、前記抽出手段により抽出された文章を１文ずつ並べて表示させ、１つのコンテンツの情報から複数の文章が抽出されたコンテンツについては、タイトルを表示せずに、抽出された前記複数の文章を、それぞれ、異なる代表画とともに前記画面に表示させ、複数の前記異なる代表画のうちのいずれかの代表画が選択され、録画予約が設定されたときには、複数の前記異なる代表画のそれぞれの隣に、録画予約の設定済みであることを表す情報を表示させる表示制御手段と
を備える表示制御装置。
【請求項２】
前記抽出手段は、前記テキストデータの先頭の文字から順に注目し、所定の位置にある前記下向きの白抜き三角のマークから次の前記下向きの白抜き三角のマークまでの間にある文章、または、所定の位置にある前記下向きの白抜き三角のマークから次のスペースまでの間にある文章を抽出する
請求項１に記載の表示制御装置。
【請求項３】
EPGデータを取得し、
取得したEPGデータに含まれるそれぞれのコンテンツの情報に含まれるテキストデータから、先頭に下向きの白抜き三角のマークが付加されている文章を抽出し、
放送予定のコンテンツの一覧が表示される画面に、各コンテンツの情報として、タイトルを表示せずに、代表画とともに、抽出した文章を１文ずつ並べて表示させ、１つのコンテンツの情報から複数の文章が抽出されたコンテンツについては、タイトルを表示せずに、抽出した前記複数の文章を、それぞれ、異なる代表画とともに前記画面に表示させ、複数の前記異なる代表画のうちのいずれかの代表画が選択され、録画予約が設定されたときには、複数の前記異なる代表画のそれぞれの隣に、録画予約の設定済みであることを表す情報を表示させる
ステップを含む表示制御方法。
【請求項４】
EPGデータを取得し、
取得したEPGデータに含まれるそれぞれのコンテンツの情報に含まれるテキストデータから、先頭に下向きの白抜き三角のマークが付加されている文章を抽出し、
放送予定のコンテンツの一覧が表示される画面に、各コンテンツの情報として、タイトルを表示せずに、代表画とともに、抽出した文章を１文ずつ並べて表示させ、１つのコンテンツの情報から複数の文章が抽出されたコンテンツについては、タイトルを表示せずに、抽出した前記複数の文章を、それぞれ、異なる代表画とともに前記画面に表示させ、複数の前記異なる代表画のうちのいずれかの代表画が選択され、録画予約が設定されたときには、複数の前記異なる代表画のそれぞれの隣に、録画予約の設定済みであることを表す情報を表示させる
ステップを含む処理をコンピュータに実行させるプログラム。
【発明の詳細な説明】
【技術分野】
【０００１】
本発明は、表示制御装置、表示制御方法、およびプログラムに関し、特に、表示される文章によって内容を確認しながらコンテンツを選択することができるようにした表示制御装置、表示制御方法、およびプログラムに関する。
【背景技術】
【０００２】
ハードディスクレコーダなどのデジタル録画機器においては、EPG(Electric Program Guide)データに基づいて表示される番組表から、録画予約を設定する番組を選択することができるようになされている。
【０００３】
例えば、番組表がラテ欄形式で表示される場合、ユーザは、番組のタイトルなどの各欄に表示される簡単な情報から、どの時間帯にどの番組が放送されるのかを確認することができる。また、ユーザは、興味のある番組がある場合、その番組を選択して所定の操作を行うことによって、出演者やあらすじなどの番組の詳細情報を表示させることができる。
【０００４】
このような情報を確認し、ユーザは録画予約を設定する番組を選択することができる。
【０００５】
特許文献１には、番組表の表示に用いる番組のタイトルを表す情報として、「金曜洋画劇場」などの番組のタイトルと、映画のタイトルなどの番組の内容を表す情報が提供された場合、番組表には、後者の番組の内容を表す情報を表示するようにした技術が記載されている。
【特許文献１】特開２００５−２２３９４０号公報
【発明の開示】
【発明が解決しようとする課題】
【０００６】
以上のようにして番組を選択する場合、ユーザは、放送される番組の内容を確認するために、いちいち番組の詳細情報を表示させ、あらすじ全体などの詳細文を読んで番組の内容を確認する必要がある。
【０００７】
すなわち、詳細情報を表示させたりそれを読んだりする分だけ手間がかかり、内容を基準として番組を選択しにくい。
【０００８】
本発明はこのような状況に鑑みてなされたものであり、表示される文章によって内容を確認しながらコンテンツを選択することができるようにするものである。
【課題を解決するための手段】
【０００９】
本発明の一側面の表示制御装置は、EPGデータを取得する取得手段と、前記取得手段により取得されたEPGデータに含まれるそれぞれのコンテンツの情報に含まれるテキストデータから、先頭に下向きの白抜き三角のマークが付加されている文章を抽出する抽出手段と、放送予定のコンテンツの一覧が表示される画面に、各コンテンツの情報として、タイトルを表示せずに、代表画とともに、前記抽出手段により抽出された文章を１文ずつ並べて表示させ、１つのコンテンツの情報から複数の文章が抽出されたコンテンツについては、タイトルを表示せずに、抽出された前記複数の文章を、それぞれ、異なる代表画とともに前記画面に表示させ、複数の前記異なる代表画のうちのいずれかの代表画が選択され、録画予約が設定されたときには、複数の前記異なる代表画のそれぞれの隣に、録画予約の設定済みであることを表す情報を表示させる表示制御手段とを備える。
【００１０】
前記抽出手段には、前記テキストデータの先頭の文字から順に注目し、所定の位置にある前記下向きの白抜き三角のマークから次の前記下向きの白抜き三角のマークまでの間にある文章、または、所定の位置にある前記下向きの白抜き三角のマークから次のスペースまでの間にある文章を抽出させることができる。
【００１３】
本発明の一側面の表示制御方法またはプログラムは、EPGデータを取得し、取得したEPGデータに含まれるそれぞれのコンテンツの情報に含まれるテキストデータから、先頭に下向きの白抜き三角のマークが付加されている文章を抽出し、放送予定のコンテンツの一覧が表示される画面に、各コンテンツの情報として、タイトルを表示せずに、代表画とともに、抽出した文章を１文ずつ並べて表示させ、１つのコンテンツの情報から複数の文章が抽出されたコンテンツについては、タイトルを表示せずに、抽出した前記複数の文章を、それぞれ、異なる代表画とともに前記画面に表示させ、複数の前記異なる代表画のうちのいずれかの代表画が選択され、録画予約が設定されたときには、複数の前記異なる代表画のそれぞれの隣に、録画予約の設定済みであることを表す情報を表示させるステップを含む。
【００１４】
本発明の一側面においては、EPGデータが取得され、取得されたEPGデータに含まれるそれぞれのコンテンツの情報に含まれるテキストデータから、先頭に下向きの白抜き三角のマークが付加されている文章が抽出される。また、放送予定のコンテンツの一覧が表示される画面に、各コンテンツの情報として、タイトルが表示されずに、代表画とともに、抽出された文章が１文ずつ並べて表示され、１つのコンテンツの情報から複数の文章が抽出されたコンテンツについては、タイトルが表示されずに、抽出された前記複数の文章が、それぞれ、異なる代表画とともに前記画面に表示され、複数の前記異なる代表画のうちのいずれかの代表画が選択され、録画予約が設定されたときには、複数の前記異なる代表画のそれぞれの隣に、録画予約の設定済みであることを表す情報が表示される。
【発明の効果】
【００１５】
本発明の一側面によれば、ユーザは、表示される文章によって内容を確認しながらコンテンツを選択することができる。
【発明を実施するための最良の形態】
【００１６】
図１は、本発明の一実施形態に係る表示制御装置１の例を示す図である。
【００１７】
表示制御装置１はハードディスクを内蔵するデジタル録画機器である。表示制御装置１は、BS(Broadcasting Satellite)／CS(Communications Satellite)デジタル放送、地上デジタル放送、またはインターネットを介して行われる放送によって提供される番組（コンテンツ）のデータを取得し、取得した番組のデータをハードディスクに記録させる。すなわち、表示制御装置１には、図示せぬアンテナからの信号などが供給されるようになされている。表示制御装置１は、ハードディスクに記録させておいたデータをユーザによる指示に応じて再生し、番組の映像や音声をテレビジョン受像機２から出力させる。
【００１８】
また、表示制御装置１は、放送波やインターネットを介して放送局などが配信するEPGデータを取得する。EPGデータには、それぞれの番組について、番組のタイトル、放送日時、番組のジャンルを表すコード、詳細情報などの、放送予定のそれぞれの番組の情報が含まれる。詳細情報には、出演者の名前、コーナー名、番組のあらすじなどが含まれる。
【００１９】
このような情報が含まれるEPGデータは、配信日を含む８日分の放送予定の番組の情報をまとめた形で、所定の時刻に１日に複数回配信される。
【００２０】
例えば、３月１日に配信されるEPGデータには、３月１日から３月８日までの放送予定の番組の情報が含まれ、３月２日に配信されるEPGデータには、３月２日から３月９日までの放送予定の番組の情報が含まれる。従って、ある日に放送される番組の情報については、放送日の７日前の日から放送日当日までに渡って、毎日、提供されることになる。
【００２１】
番組のジャンルがニュースなどである場合、放送される内容は番組の放送日に近くなって決定される。従って、ニュース番組などの情報は、その番組の情報として最初に提供されたものと、その後に提供されたものとで異なる情報になることがある。後述するように、後から更新された情報には、そのことを表す情報が付加されている。
【００２２】
表示制御装置１は、配信されるEPGデータをその都度取得し、管理する。表示制御装置１が管理するEPGデータは、放送予定の番組の一覧を表示するときに用いられる。番組一覧には、放送予定の番組の情報として、EPGデータに含まれる情報から抽出された文章が並べて表示される。ユーザは、番組一覧から、録画予約を設定する番組を選択することができる。
【００２３】
図２は、番組一覧を表示する表示制御装置１の処理の流れを示す図である。
【００２４】
図２の矢印Ａ1に示されるように、配信され、保存されていたEPGデータに対してプリフィルタ処理が施される。プリフィルタ処理は、番組一覧に提示する提示用文章を抽出する処理の前処理となる。プリフィルタ処理により、提示用文章を構成するものとしては適さない文字、記号などが削除されたり、指定された放送ネットワーク、放送開始日、ジャンルの条件を満たす番組の情報に絞られたりする。
【００２５】
プリフィルタ処理の対象となるEPGデータは、例えば、ARIB(Association of Radio Industries and Businesses) STD-B10で規定された標準規格や、ARIB TR-B14/15で規定された技術資料に準拠した実装や運用が行われているデジタル放送のSI-EPGデータとなる。
【００２６】
保存されているEPGデータのすべてを対象として処理が行われるのではなく、ある日を基準として、基準日の当日に配信されたEPGデータのうちの、当日放送予定分の番組の情報や、基準日の前日に配信されたEPGデータのうちの、翌日放送予定分の番組の情報だけを対象として処理が行われるようにしてもよい。
【００２７】
プリフィルタ処理が施されることによって得られたEPGデータに対して、あらかじめ定義されたパターンに従って提示用文章を抽出する処理が施される。抽出された矢印Ａ2の先に示される提出用文章は、矢印Ａ3の先に示されるように、番組一覧の表示に用いられる。
【００２８】
図３は、テレビジョン受像機２に表示される番組一覧の例を示す図である。
【００２９】
ここでは、ニュース番組の一覧を表示する場合について説明する。上述したように、EPGデータに含まれるそれぞれの番組の情報には番組のジャンルを表す情報も含まれており、例えば、放送予定のニュース番組の表示をユーザが指示したとき、図３に示されるような画面が表示される。
【００３０】
図３の番組一覧において、縦方向に並べて表示される画像Ｐ1乃至Ｐ5は、EPGデータに含めて提供されたそれぞれのニュース番組の代表画である。代表画が提供されていない場合、枠だけが表示され、画像が表示されないこともある。
【００３１】
画像Ｐ1の右側に表示される「スイーツの激戦」の文章は、１１月１日に放送予定の、画像Ｐ1を代表画とするニュース番組の情報から抽出された提示用文章である。提示用文章は、複数の単語から構成される。
【００３２】
同様に、画像Ｐ2の右側に表示される「“郵政造反組”復党」の文章は、１１月１日に放送予定の、画像Ｐ2を代表画とするニュース番組の情報から抽出された提示用文章であり、画像Ｐ3の右側に表示される「五輪誘致へ本格始動」の文章は、１１月１日に放送予定の、画像Ｐ3を代表画とするニュース番組の情報から抽出された提示用文章である。
【００３３】
画像Ｐ4の右側に表示される「６０億の男帰国へメジャー松本誕生」の文章は、１０月２７日に放送予定の、画像Ｐ4を代表画とするニュース番組の情報から抽出された提示用文章であり、画像Ｐ5の右側に表示される「“働く貧困層”の現実８００万世帯に拡大」の文章は、１０月２４日に放送予定の、画像Ｐ5を代表画とするニュース番組の情報から抽出された提示用文章である。
【００３４】
このように、表示制御装置１により表示される番組一覧には、それぞれのニュース番組のタイトルは表示されずに、EPGデータに含まれるニュース番組の情報から抽出された提示用文章が１文ずつ並べて表示される。
【００３５】
これにより、ユーザは、提示用文章を見て番組の内容を俯瞰しながら、番組の内容を基準として、録画予約を設定する番組を選択することができる。録画予約を設定しておく番組を選択するにあたっては、内容を詳細にまで確認しておく必要はなく、１文で表されるような、簡単な内容だけを確認しておけば十分であることが多い。
【００３６】
ユーザは、代表画に重ねて表示されるカーソルＣをリモートコントローラなどを操作して動かし、所定の操作を行うことによって、そのときカーソルＣによって代表画が選択されている番組の録画予約を設定することができる。録画予約を設定した場合、ユーザにより選択された番組の情報の近傍には、録画予約が設定済みの番組であることを表す画像（マーク）が表示される。
【００３７】
以上のような番組一覧を表示させる表示制御装置１の処理についてはフローチャートを参照して後述する。
【００３８】
図４は、表示制御装置１のハードウエア構成例を示すブロック図である。
【００３９】
CPU(Central Processing Unit)１１は、ROM(Read Only Memory)１２、または記録部１９に記録されているプログラムに従って各種の処理を実行する。RAM(Random Access Memory)１３には、CPU１１が実行するプログラムやデータなどが適宜記録される。これらのCPU１１、ROM１２、およびRAM１３は、バス１４により相互に接続されている。
【００４０】
CPU１１にはまた、バス１４を介して入出力インタフェース１５が接続されている。入出力インタフェース１５には、受信部１６、入力部１７、出力部１８、記録部１９、通信部２０、およびドライブ２１が接続されている。
【００４１】
受信部１６は、アンテナ１６Ａからの放送波信号を受信、復調し、MPEG-TS(Moving Picture Experts Group-Transport Stream)を取得する。受信部１６は、録画の対象になっている番組のデータやEPGデータをMPEG-TSから取得し、取得したデータを、入出力インタフェース１５を介して記録部１９に出力する。
【００４２】
入力部１７は、リモートコントローラからの信号を受信し、ユーザの操作の内容を表す情報を入出力インタフェース１５、バス１４を介してCPU１１に出力する。
【００４３】
出力部１８は、再生が指示された番組のデータをデコードし、得られた映像信号に基づいて、番組の映像をテレビジョン受像機２に表示させる。また、出力部１８は、CPU１１による制御に従って、図３に示されるような番組一覧をテレビジョン受像機２に表示させる。
【００４４】
記録部１９は例えばハードディスクからなり、CPU１１が実行するプログラムや、入出力インタフェース１５を介して受信部１６から供給された番組のデータ、EPGデータなどの各種のデータを記録する。
【００４５】
通信部２０は、サーバと通信を行い、インターネット放送によって配信される番組のデータや、サーバが配信するEPGデータを取得する。通信部２０は、取得したデータを、入出力インタフェース１５を介して記録部１９に出力し、記録させる。
【００４６】
ドライブ２１は、光ディスクや半導体メモリなどのリムーバブルメディア２２が装着されたとき、それらを駆動し、そこに記録されているプログラムやデータなどを取得する。取得されたプログラムやデータは、必要に応じて記録部１９に転送され、記録される。
【００４７】
図５は、表示制御装置１の機能構成例を示すブロック図である。図５に示す機能部のうちの少なくとも一部は、図４のCPU１１により所定のプログラムが実行されることによって実現される。
【００４８】
図５に示されるように、表示制御装置１においては、EPGデータ取得部３１、EPGデータ記憶部３２、プリフィルタ処理部３３、提示用文章抽出部３４、および表示制御部３５が実現される。
【００４９】
EPGデータ取得部３１は、受信部１６を制御し、デジタル放送などを介して繰り返し配信されるEPGデータを取得する。EPGデータ取得部３１は、取得したEPGデータをEPGデータ記憶部３２に出力し、記憶させる。
【００５０】
EPGデータ記憶部３２は、EPGデータ取得部３１から供給されたEPGデータを記憶する。EPGデータ記憶部３２に記憶されているEPGデータは、例えば、EPGデータ取得部３１から最新のEPGデータが供給される毎に書き換えられる。EPGデータ記憶部３２には、EPGデータの配信日を含めて８日分の放送予定の番組の最新の情報が記憶されることになる。
【００５１】
プリフィルタ処理部３３は、プリフィルタ処理を行うことによって、EPGデータ記憶部３２に記憶されているEPGデータに含まれる番組の情報から、提示用文章を構成するものとしては適さない文字、記号を削除したり、指定された所定の条件を満たす番組の情報に絞り込んだりする。プリフィルタ処理部３３は、プリフィルタ処理を施すことによって得られたEPGデータを提示用文章抽出部３４に出力する。
【００５２】
提示用文章抽出部３４は、プリフィルタ処理部３３から供給されたEPGデータに含まれる、それぞれの番組の情報から提示用文章を抽出する。
【００５３】
図６は、あるニュース番組の情報に含まれるテキストデータの例を示す図である。
【００５４】
上述したように、EPGデータには、それぞれの番組の情報として、出演者の名前、コーナー名、番組の内容を表す文章などの各種のテキストデータが含まれる。図６の例においては、「北朝鮮で再び核実験の兆候が…各国どう動く」、「韓流“どぶろく”に日本酒メーカーも参入」、「人気の秘密」、「今晩の献立」、「柳ひでお、伊藤めぐみ、赤山ゆうこほか」のテキストデータが含まれている。
【００５５】
「北朝鮮で再び核実験の兆候が…各国どう動く」、「韓流“どぶろく”に日本酒メーカーも参入」の先頭には、それぞれ下向きの白抜き三角のマーク（▽）が付加されている。「韓流“どぶろく”に日本酒メーカーも参入」と「人気の秘密」、「人気の秘密」と「今晩の献立」、「今晩の献立」と「柳ひでお、伊藤めぐみ、赤山ゆうこほか」の間にはそれぞれスペースが挿入されている。
【００５６】
例えば、このようなテキストデータを対象とした提示用文章抽出処理においては、下向きの白抜き三角のマークが付加されているテキストデータが提示用文章とみなされ、この下向きの白抜き三角のマークをセパレータとして、提示用文章のテキストデータが他のテキストデータから切り出される。
【００５７】
下向きの白抜き三角のマークは、それが付加されているテキストデータが放送日の７日前に最初に配信されたEPGデータには含まれていなかったものであり、放送日までの間に追加、更新されたテキストデータであることを表す。
【００５８】
番組の情報に含まれる番組のコーナー名、出演者名などのテキストデータは、その番組の情報を含むEPGデータが最初に配信されたときから決まっていることが多いから、このようなコーナー名、出演者名は更新されず、下向きの白抜き三角のマークが付加されないことが多い。
【００５９】
先頭の文字から順に注目して処理が進められるとして、先頭に下向きの白抜き三角のマークがない場合、先頭の文字から、１つ目の下向きの白抜き三角のマークまでのテキストデータが提示用文章とみなされ、切り出される。
【００６０】
番組の情報に含まれる最後の下向きの白抜き三角のマークに続くテキストデータは、次のスペースまでが提示用文章として切り出される。
【００６１】
図６の例においては、先頭にある１つ目の下向きの白抜き三角のマークから、２つ目の下向きの白抜き三角のマークまでの間の「北朝鮮で再び核実験の兆候が…各国どう動く」が提示用文章とみなされ、切り出される。
【００６２】
２つ目の下向きの白抜き三角のマークは図６のテキストデータに含まれる下向きの白抜き三角のマークのうちの最後のマークであるから、その２つ目の下向きの白抜き三角のマークから次のスペース、すなわち、「韓流“どぶろく”に日本酒メーカーも参入」と「人気の秘密」の間に挿入されているスペースまでの「韓流“どぶろく”に日本酒メーカーも参入」が提示用文章とみなされ、切り出される。
【００６３】
最後の下向きの白抜き三角のマークが付加されている「韓流“どぶろく”に日本酒メーカーも参入」以降のテキストデータである「人気の秘密」、「今晩の献立」、「柳ひでお、伊藤めぐみ、赤山ゆうこほか」は、それぞれ提示用文章とみなされず、切り出しの対象外のテキストデータとなる。
【００６４】
このような処理が、プリフィルタ処理が施されることによって得られたEPGデータに含まれるそれぞれの番組の情報を対象として行われる。抽出された提示用文章は、どの番組の情報から抽出された文章であるのかを表す情報とともに、提示用文章抽出部３４から表示制御部３５に供給される。
【００６５】
図５の説明に戻り、表示制御部３５は、番組一覧の表示がユーザにより指示されたとき、それぞれの番組の代表画と放送日の情報をEPGデータ記憶部３２から読み出し、読み出したそれらの情報を、出力部１８を制御してテレビジョン受像機２に表示させる。また、表示制御部３５は、代表画などを表示させた番組の情報から提示用文章抽出部３４により抽出された提示用文章をテレビジョン受像機２に表示させる。
【００６６】
次に、以上のような構成を有する表示制御装置１の処理について説明する。
【００６７】
はじめに、図７のフローチャートを参照して、番組一覧を表示させる表示制御装置１の全体の処理について説明する。
【００６８】
ステップＳ１において、EPGデータ取得部３１は、デジタル放送などを介して繰り返し配信されるEPGデータを取得し、取得したEPGデータをEPGデータ記憶部３２に記憶させる。
【００６９】
ステップＳ２において、プリフィルタ処理部３３はプリフィルタ処理を行う。プリフィルタ処理が施されることによって得られたEPGデータは、プリフィルタ処理部３３から提示用文章抽出部３４に供給される。プリフィルタ処理の詳細については図８のフローチャートを参照して後述する。
【００７０】
ステップＳ３において、提示用文章抽出部３４は、プリフィルタ処理部３３から供給されたEPGデータに含まれるそれぞれの番組の情報から、上述したように下向きの白抜き三角のマークをセパレータとして用いるなどして提示用文章を抽出する。提示用文章抽出部３４は、抽出した提示用文章を表示制御部３５に出力する。
【００７１】
ステップＳ４において、表示制御部３５は、番組一覧の表示がユーザにより指示されたとき、それぞれの番組の情報として、代表画、放送日、提示用文章抽出部３４により抽出された提示用文章を図３に示されるようにテレビジョン受像機２に表示させる。ユーザにより所定の番組の録画が指示されたとき、図示せぬ録画管理部は、その指示を受け付け、録画予約を設定して管理する。
【００７２】
なお、ステップＳ２において行われるプリフィルタ処理とステップＳ３において行われる提示用文章を抽出する処理は、番組一覧を表示することがユーザにより指示されてから行われるようにしてもよいし、番組一覧の表示が指示される前に、あらかじめ行われるようにしてもよい。
【００７３】
次に、図８のフローチャートを参照して、図７のステップＳ２において行われるプリフィルタ処理について説明する。
【００７４】
ステップＳ１１において、プリフィルタ処理部３３は、１つの番組の情報に注目し、注目する番組の情報の「タイトル」フィールドに含まれる、「番組詳細記述」の部分の情報を切り出す。プリフィルタ処理部３３は、切り出した情報を「番組詳細３」の情報としてメモリに格納して管理する。
【００７５】
図９は、１つの番組の情報の例を示す図である。
【００７６】
図９に示されるように、１つの番組の情報は、「タイトル」フィールドｆ1、「番組詳細１」フィールドｆ2、および「番組詳細２」フィールドｆ3の３種類の情報から構成される。
【００７７】
「タイトル」フィールドｆ1には、番組のタイトル、サブタイトルが記述される。「タイトル」フィールドｆ1には、番組の内容を表す情報も一部記述されるようになされており、その記述が「番組情報記述」となる。
【００７８】
「番組情報記述」として、上述したような更新される文章などが記述されることもある。プリフィルタ処理においては、この「番組情報記述」に記述されている情報も提示用文章を抽出する元のテキストデータとして扱われるように、「番組詳細３」の情報として管理される。
【００７９】
「番組詳細１」フィールドｆ2には、番組の出演者の名前、制作者の名前などが記述される。「番組詳細２」フィールドｆ3には、番組のあらすじなどが記述される。
【００８０】
図８の説明に戻り、ステップＳ１２において、プリフィルタ処理部３３は、「番組詳細１」フィールドｆ2に記述されているテキストデータ、「番組詳細２」フィールドｆ3に記述されているテキストデータ、および「番組詳細３」の情報としてメモリに格納しておいた「番組詳細記述」のテキストデータから、削除対象の文字や記号を削除する。ここでは、例えば、放送局名を表す文字、天気予報のコーナーがあることを表す記号が削除される。削除対象の文字や記号を表す辞書が、プリフィルタ処理部３３に対して与えられている。
【００８１】
条件の指定がある場合、ステップＳ１３において、プリフィルタ処理部３３は、その条件を満たす番組の情報に絞り込む。
【００８２】
例えば、あるチャンネルの番組の情報だけを一覧表示することが条件として設定されている場合、絞り込みにより、そのチャンネルで放送される番組の情報だけが選択される。また、ある日以降に放送される番組の情報だけを一覧表示することが条件として設定されている場合、絞り込みにより、その日（放送開始日）以降に放送される番組の情報だけが選択される。ニュース番組の情報だけといったように、あるジャンルの番組の情報だけを一覧表示することが条件として設定されている場合、絞り込みにより、そのジャンルの番組の情報だけが選択される。
【００８３】
条件を満たす番組の情報はプリフィルタ処理部３３から提示用文章抽出部３４に供給される。その後、図７のステップＳ２に戻り、それ以降の処理が行われる。
【００８４】
以上の処理により、ユーザは、番組一覧に表示される文章によって内容を確認しながら、録画予約を設定する番組を選択することができる。
【００８５】
なお、１つの番組の情報から複数の文章が提示用文章として抽出された場合、それぞれの提示用文章が表示されるようにしてもよい。
【００８６】
図１０は、番組一覧の他の例を示す図である。
【００８７】
図１０の番組一覧に表示される画像Ｐ11乃至Ｐ15を代表画とする番組のうち、画像Ｐ11を代表画とする番組と、画像Ｐ12を代表画とする番組と、画像Ｐ13を代表画とする番組は、１２月１日に放送予定の同じ番組である。また、画像Ｐ14を代表画とする番組と、画像Ｐ15を代表画とする番組は、１１月３０日に放送予定の同じ番組である。
【００８８】
すなわち、画像Ｐ11の右側に表示される「北朝鮮で再び核実験の兆候が…各国どう動く」の提示用文章と、画像Ｐ12の右側に表示される「韓流“どぶろく”に日本酒メーカーも参入」の提示用文章と、画像Ｐ13の右側に表示される「日本６−３で勝利」の提示用文章は、同じ番組の情報から抽出された提示用文章である。
【００８９】
また、画像Ｐ14の右側に表示される「田中氏知事選出馬」の提示用文章と、画像Ｐ15の右側に表示される「亀吉ボクシング大荒れ」の提示用文章は、同じ番組の情報から抽出された提示用文章である。
【００９０】
このように、同じ番組の情報から複数の提示用文章が抽出された場合、それぞれの提示用文章が表示されることによって、ユーザは、１つの提示用文章だけが表示される場合に比べて、興味のある内容を扱っている番組を確実に探すことができる。
【００９１】
図１０に示されるような番組一覧において、ユーザが、例えば画像Ｐ11を代表画とする番組を選択し、番組の録画予約を設定した場合、録画予約を設定済みの番組であることを表すマークが、例えば画像Ｐ11の左隣などの所定の位置に表示される。
【００９２】
図１１は、画像Ｐ11を代表画とする番組に対して録画予約が設定された場合に表示される番組一覧の例を示す図である。
【００９３】
図１１に示されるように、画像Ｐ11の左隣には、画像Ｐ11を代表画とする番組が録画予約が設定済みの番組であることを表すマークｍ1が表示される。
【００９４】
また、図１１に示されるように、画像Ｐ11を代表画とする番組と、画像Ｐ12を代表画とする番組と、画像Ｐ13を代表画とする番組は同じ番組であるから、画像Ｐ12の左隣にマークｍ2が表示されるとともに、画像Ｐ13の左隣にもマークｍ3が表示される。
【００９５】
このように、EPGデータに含まれる１つの番組の情報から複数の文章が提示用文章として抽出された場合、それぞれの提示用文章が表示される。また、その複数の文章により内容が表されるそれぞれの番組（同じ番組）のうちのいずれかの番組が選択された場合、複数の文章により内容が表されるそれぞれの番組に対して録画予約が設定済みであることを表す情報が表示される。
【００９６】
これにより、ユーザは、画像Ｐ11を代表画とする番組と、画像Ｐ12を代表画とする番組と、画像Ｐ13を代表画とする番組が同じ番組であり、その番組に対して録画予約を設定していることを確認することができる。
【００９７】
以上においては、録画予約を設定するときに用いられる番組一覧の表示について説明したが、同様の表示が、例えば録画済みの番組の一覧において行われるようにしてもよい。録画済みの番組の一覧に、上述したようにして抽出された提示用文章がそれぞれの録画済みの番組の情報として表示されることにより、ユーザは、どの番組を再生させるかを、内容を確認しながら選択することができる。
【００９８】
また、同様の表示が録画機器ではなく、テレビジョン受像機やパーソナルコンピュータなどのEPGデータを扱う各種の装置において行われるようにしてもよい。
【００９９】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどにインストールされる。
【０１００】
インストールされるプログラムは、光ディスク（CD-ROM(Compact Disc-Read Only Memory)，DVD(Digital Versatile Disc)等）や半導体メモリなどよりなる図４に示されるリムーバブルメディア２２に記録して、あるいは、ローカルエリアネットワーク、インターネット、デジタル放送といった、有線または無線の伝送媒体を介して提供される。プログラムは、ROM１２や記録部１９に、あらかじめインストールしておくことができる。
【０１０１】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１０２】
本発明の実施の形態は、上述した実施の形態に限定されるものではなく、本発明の要旨を逸脱しない範囲において種々の変更が可能である。
【図面の簡単な説明】
【０１０３】
【図１】本発明の一実施形態に係る表示制御装置の例を示す図である。
【図２】表示制御装置の処理の流れを示す図である。
【図３】番組一覧の表示例を示す図である。
【図４】表示制御装置のハードウエア構成例を示すブロック図である。
【図５】表示制御装置の機能構成例を示すブロック図である。
【図６】番組の情報に含まれるテキストデータの例を示す図である。
【図７】表示制御装置の全体の処理について説明するフローチャートである。
【図８】図７のステップＳ２において行われるプリフィルタ処理について説明するフローチャートである。
【図９】番組情報の構成例を示す図である。
【図１０】番組一覧の他の表示例を示す図である。
【図１１】番組一覧のさらに他の表示例を示す図である。
【符号の説明】
【０１０４】
１  表示制御装置，  ３１  EPGデータ取得部，  ３２  EPGデータ記憶部，  ３３  プリフィルタ処理部，  ３４  提示用文章抽出部，  ３５  表示制御部
【図１】
0004501086.tif 000002
【図２】
0004501086.tif 000003
【図３】
0004501086.tif 000004
【図４】
0004501086.tif 000005
【図５】
0004501086.tif 000006
【図６】
0004501086.tif 000007
【図７】
0004501086.tif 000008
【図８】
0004501086.tif 000009
【図９】
0004501086.tif 000010
【図１０】
0004501086.tif 000011
【図１１】
0004501086.tif 000012